(57)【特許請求の範囲】
【請求項１】
複数の無線送信器(BTS)間のタイミング差を決定する方法であって、上記複数の無線送信器(BTS)から測定手段(STM)により受け取られた信号のタイミング情報(OTD)を決定し、そして上記測定手段(STM)により決定された上記タイミング情報(OTD)に基づいて上記複数の無線送信器(BTS)間のタイミング差(RTD)を決定するという段階を含む方法において、
上記測定手段(STM)を既知の位置に設け、
上記複数の無線送信器(BTS)と上記測定手段(STM)との間の各距離差を使用することにより上記決定段階を実行し、そして
位置サービスセンターからコマンド信号を送信することにより上記タイミング差の上記決定を制御する、
という段階を更に含むことを特徴とする方法。
【請求項２】
上記無線送信器は、移動無線ネットワークにおけるベーストランシーバステーション(BTS)である請求項１に記載の方法。
【請求項３】
上記複数のベーストランシーバステーション(BTS)から移動ステーション(MS)により受け取られた信号のタイミング情報(OTD)を決定し、そして
上記移動ステーション(MS)により決定されたタイミング情報(OTD)と、上記複数のベーストランシーバステーション(BTS)間の上記タイミング差(RTD)とに基づいて、上記移動ステーション(MS)の位置を決定する、
という段階を更に含む請求項２に記載の方法。
【請求項４】
上記タイミング情報(OTD)は、ショートメッセージサービス(SMS)、不定の補足的サービスデータ(USSD)又はＢＳＳＭＡＰメッセージを用いて送信される請求項３に記載の方法。
【請求項５】
上記タイミング差(RTD)は、ショートメッセージサービス(SMS)、不定の補足的サービスデータ(USSD)又はＢＳＳＭＡＰメッセージを用いて送信される請求項３又は４に記載の方法。
【請求項６】
上記コマンド信号は、ショートメッセージサービス(SMS)又は不定の補足的サービスデータ(USSD)を用いて送信され、そして上記コマンド信号は、次の情報、即ち
−１つのメッセージの測定セットの数、
−測定周波数、
−測定時間巾、及び
−測定されているベーストランシーバステーション(BTS)の識別、
の幾つかを含む請求項３ないし５のいずれかに記載の方法。
【請求項７】
上記複数の無線送信器(BTS)の１つ又は多数に上記測定手段(STM)が設けられる請求項１ないし６のいずれかに記載の方法。
【請求項８】
上記測定手段(STM)は、上記複数の無線送信器(BTS)のいずれかからある距離に配置される請求項１ないし６のいずれかに記載の方法。
【請求項９】
複数の無線送信器(BTS)と、上記複数の無線送信器(BTS)から受信した信号のタイミング情報(OTD)を決定するための測定手段(STM)とを備え、この測定手段(STM）は、この測定手段(STM）により決定された上記タイミング情報(OTD)に基づいて上記複数の無線送信器(BTS)間のタイミング差(RTD)を決定するように構成された無線ネットワークにおいて、
上記測定手段(STM)は、既知の位置に設けられ、そして
上記測定手段(STM)は、上記複数の無線送信器(BTS)と上記測定手段(STM)との間の各距離差に基づいて上記タイミング差の上記決定を行うように構成され、上記タイミング差の上記決定は、位置サービスセンター(LSC)から受け取ったコマンド信号に基づいて制御されることを特徴とする無線ネットワーク。
【請求項１０】
上記複数の無線送信器(BTS)の１つ又は多数に上記測定手段(STM)が設けられる請求項９に記載の無線ネットワーク。
【請求項１１】
上記測定手段(STM)は、上記複数の無線送信器(BTS)からある距離に配置される請求項９に記載の無線ネットワーク。
【請求項１２】
上記無線ネットワークは移動無線ネットワークであり、そして上記無線送信器はベーストランシーバステーション(BTS)である請求項９ないし１１のいずれかに記載の無線ネットワーク。
【請求項１３】
上記複数のベーストランシーバステーション(BTS)から送信される信号のタイミング情報(OTD)は、移動ステーション(MS)により決定され、そして
上記移動ステーション(MS)の位置は、上記移動ステーション(MS)により決定された上記タイミング情報(OTD)と、上記複数のベーストランシーバステーション(BTS)間の上記タイミング差(RTD)とに基づいて決定される請求項１２に記載の無線ネットワーク。
【請求項１４】
上記移動ステーション(MS)の位置は、上記位置サービスセンター(LSC)により決定される請求項１３に記載の無線ネットワーク。
【請求項１５】
上記位置サービスセンター(LSC)は、上記移動無線ネットワークにわたって空間的に分散される請求項１４に記載の無線ネットワーク。
【請求項１６】
上記タイミング情報(OTD)は、ショートメッセージサービス(SMS)、不定の補足的サービスデータ(USSD)又はＢＳＳＭＡＰメッセージを用いて、上記測定手段(STM)から上記位置サービスセンター(LSC)へ送信されるか、又は上記移動ステーション(MS)から上記位置サービスセンター(LSC)へ送信される請求項１４又は１５に記載の無線ネットワーク。
【請求項１７】
上記タイミング差(RTD)は、ショートメッセージサービス(SMS)、不定の補足的サービスデータ(USSD)又はＢＳＳＭＡＰメッセージを用いて上記測定手段(STM)から上記位置サービスセンター(LSC)へ送信される請求項１４ないし１６のいずれかに記載の無線ネットワーク。
【請求項１８】
上記コマンド信号は、ショートメッセージサービス(SMS)又は不定の補足的サービスデータ(USSD)を使用することにより送信され、そして上記コマンド信号は、次の情報、即ち
−１つのメッセージの測定セットの数、
−測定周波数、
−測定時間巾、及び
−測定されているベーストランシーバステーション(BTS)の識別、
の幾つかを含む請求項１３ないし１７のいずれかに記載の無線ネットワーク。
【請求項１９】
上記移動ステーション(MS)は、上記複数のベーストランシーバステーション(BTS)から受け取った信号のタイミング情報(OTD)と、上記移動ステーション(MS)へ送信される上記複数のベーストランシーバステーション(BTS)間のタイミング差(RTD)とに基づいてその位置を決定するように構成される請求項１２ないし１８のいずれかに記載の移動無線ネットワークに位置する移動ステーション。
【発明の詳細な説明】
発明の分野
本発明は、無線送信器とこれを組み込んだ無線ネットワークとの間のタイミング差を決定する方法に係る。より詳細には、本発明は、移動無線ネットワークにおけるベーストランシーバステーション間のタイミング差の決定に係る。実時間差を決定するこの方法は、観察時間差の測定をベースとする。
先行技術の説明
ヨーロッパ全域に使用されるＧＳＭシステムのような移動無線ネットワークにおいては、ベースステーションに対する各移動ステーションの位置を充分な精度で知ることが必要である。
移動無線ネットワークにおける移動ステーションの位置を決定するための幾つかの方法が既にある。到達時の時間差（ＴＤＯＡ）又は方向探知（ＤＦ）をベースとするような多数の位置決め方法の場合に、ベーストランシーバステーションが互いに同期して動作することが必要である。しかしながら、現在ヨーロッパで使用されているように、ＧＳＭ移動無線ネットワークでは、ベーストランシーバステーションが互いに非同期で動作するか、又は位置決めの目的に対して同期が充分正確でない。このため、ベーストランシーバステーションにより送信される信号のタイミング差を知ることが望ましい。
米国特許第５，１２８，９２５号は、移動ターミナルにおける受信信号間のタイミング差を決定することにより擬似同期ハンドオーバーを実行するという請求項１及び９の前文に記載の方法及び無線ネットワークを開示している。しかしながら、移動ターミナルの位置が分からないので、ベースステーション間のタイミング差は、時間測定のみに基づいて決定される。
更に、ＥＰ−Ａ−０７６７５９４号は、移動ステーションで測定した時間差を用いて、ベースステーションの位置座標及びクロック情報に基づき移動ステーションの位置の測定値を決定するような移動ステーション位置決めシステムを開示している。ベースステーション間のタイミング差は決定されない。
更に、ポスト・パブリッシュド文書ＷＯ９７／２３７８５号（１９９７年７月３日発行）は、ベースステーションから既知の距離に配置された基準受信器を使用することにより複数のベースステーション間のタイミング差を決定する方法を開示している。タイミング差は、既知の距離及び測定された時間に基づいて決定される。
発明の要旨
本発明の目的は、無線ネットワークにおける複数の無線送信器間のタイミング差を決定するための方法であって、移動ステーションの位置決めの精度を高める方法を提供することである。
本発明によれば、この目的は、請求項１に記載の方法及び請求項９に記載の無線ネットワークによって達成される。
このように、複数の無線送信器間のタイミング差を決定することができる。従って、無線送信器が移動無線ネットワークにおけるベーストランシーバステーションである場合には、移動無線ネットワーク内のある点を移動する移動ステーションの位置を、従来可能であったよりも非常に高い精度で決定することができる。これは、更に、位置が計算されるべき移動ステーションが、複数のベーストランシーバステーションから受信した信号のタイミング情報を決定することを必要とする。更に、タイミング差が分かると、ベーストランシーバステーションを擬似同期式に動作できるので、移動ステーションのハンドオーバーを実行するやり方を改善することができる。
本発明の効果的な実施形態は、従属請求項に記載する。
【図面の簡単な説明】
以下、添付図面を参照して本発明の好ましい実施形態を一例として詳細に説明する。
図１は、移動無線ネットワークにおいて２つのベーストランシーバステーション間のタイミング差を決定する本発明の原理を示す図である。
図２は、移動無線ネットワークにおいて移動ステーションを位置決めするための本発明による方法の適応例を示す図である。
図３は、ＧＳＭシステムにおいて移動ステーションを位置決めするのに本発明の方法を適用できる実際の構成を示す図である。
好ましい実施形態の詳細な説明
本発明の方法は、無線ネットワークにおいて無線送信器により送信される信号のタイミング差を決定することに向けられる。より詳細には、移動無線ネットワークにおいてベーストランシーバステーションにより送信される信号のタイミング差を決定することができる。ベーストランシーバステーション間の同期差に対応するこのタイミング差は、実時間差と称される。理論的に、ネットワークが同期しているときには、２つのベーストランシーバステーションは、ＴＤＭＡバーストを厳密に同時に送信しなければならず、即ちネットワークにおける２つのベーストランシーバステーション間の同期エラーがゼロでなければならない。しかしながら、実際には、ＧＳＭのような移動無線ネットワークは、通常、同期されず、実時間差は、２つのベーストランシーバステーションからの２つのバーストの送信時間の差に対応する。
本発明による方法は、いわゆる観察時間差ＯＴＤと、いわゆる幾何学的な時間差ＧＴＤとの間の差の計算に基づく。即ち、観察時間差は、実時間差と幾何学的時間差との和である。
本発明の方法に使用される異なる量を、２つのベーストランシーバステーションＢＴＳ１とＢＴＳ２との間のタイミング差を決定する原理を示した図１を参照して更に説明する。図１に示すように、Ｔ1は、第１の無線信号がベーストランシーバステーションＢＴＳ１から送信されるときの時間を示すが、この第１の無線信号は、時間Ｔ3に移動ステーションＭＳによって受信される。従って、第２の無線信号は、隣接ベーストランシーバステーションＢＴＳ２により時間Ｔ2に送信され、そして時間Ｔ4に移動ステーションＭＳにより受信される。
到着時の時間差（ＴＤＯＡ）とも称される観察時間差は、２つの異なるベーストランシーバステーションからの２つの信号の受信と受信との間に移動ステーションにより観察される時間間隔である。図１を参照すれば、移動ステーション自体によって連続的に決定される観察時間差ＯＴＤは、２つの受信時間Ｔ3とＴ4との間の差、即ちＯＴＤ＝Ｔ3−Ｔ4である。実時間差ＲＴＤは、２つのベーストランシーバステーションにより送信される信号間の送信時間差に対応し、即ちＲＴＤ＝Ｔ1−Ｔ2である。送信時間Ｔ1及びＴ2は、移動ステーションには分からないので、実時間差も、移動ステーションには分からない。
更に、幾何学的時間差ＧＴＤは、２つのベーストランシーバステーションにより送信されて移動ステーションにより受信される２つの信号の伝播時間の差を表す。図１に示す状態によれば、ＧＴＤ＝Ｔ3−Ｔ1−（Ｔ4−Ｔ2）である。換言すれば、幾何学的な時間差は、移動ステーションからこれら２つの異なるベーストランシーバステーションまでの距離ｄ1及びｄ2の各差を無線波の伝播速度ｃで除算したものに対応し、即ちＧＴＤ＝（ｄ1−ｄ2）／ｃとなる。２つのベーストランシーバステーションが移動ステーションから同じ距離に配置されている場合には、ＧＴＤはゼロであり、そして観察時間差は、ネットワークにおける同期の差のみによるものとなる。更に、ベーストランシーバステーションが互いに同期したときには（即ち、ＲＴＤ＝０）、ＯＴＤがＧＴＤに等しくなり、そして観察時間差は、ベーストランシーバステーションと移動ステーションとの異なる位置のみによるものとなる。
更に、ベーストランシーバステーションにより送信された信号間の観察時間差を決定し、そしてそれに基づいて実時間差を計算するために、専用の測定装置が使用され、それと共に、固定の測定ステーションとして働く幾つかのベーストランシーバステーションが装備される。
本発明のこの実施形態によれば、この測定装置は、ノキア社で製造されたいわゆるサイトテストモービル（ＳＴＭ）である。もちろん、本発明は、この形式の測定装置ＳＴＭの使用に限定されるものではなく、他の形式の適当な測定装置も使用することができる。更に、測定装置は、移動できるものである必要はなく、固定位置に配置することもできる。明瞭化のために、図１では、２つのベーストランシーバステーションＢＴＳ１とＢＴＳ２との間のどこかの位置に単一の測定装置ＳＴＭのみが示されている。
本発明による方法は、移動無線ネットワークによりカバーされたエリアにおいて移動ステーションを位置決めするのに効果的に使用することができる。図１を参照すれば、移動無線ネットワークにおける移動ステーションＭＳの推定位置を計算するために、２つのベーストランシーバステーションに対する移動ステーションの幾何学的な時間差から得ることのできる距離ｄ1及びｄ2間の差を決定することが必要である。もちろん、移動ステーションの位置を計算するためには、明瞭化のために図１には示さない第３のベーストランシーバステーションから少なくとも１つの更に別の信号を受信することが必要である。
特に、図２を参照して、移動ステーションを位置決めするのにこの方法を適用する基礎となる原理を、以下に説明する。この方法に基づく移動ステーションの位置の計算は、２つの隣接するベーストランシーバステーションＢＴＳ間の移動ステーションＭＳの考えられる位置が双曲線上にあることをベースとしている。というのは、第１のベーストランシーバステーションに対する移動ステーションの距離ｄ1と、第２のベーストランシーバステーションに対するその距離ｄ2との間の差が一定だからである。換言すれば、関連移動ステーションは、これら２つのベーストランシーバステーションから受け取られる信号の観察時間差の一定値を受ける。測定結果は、あるエラー余裕を有するので、移動ステーションの潜在的な位置エリアは、実際には、２本の双曲線間の帯であり、帯の巾は測定結果のエラー余裕に基づく。考えられる位置エリアが図２にグレーエリアで示されており、破線は、測定された観察時間差を表わす。移動ステーションを実際に位置決めするためには、少なくとも３つのベーストランシーバステーションからの信号を受け取ることが必要である。このケースでは、移動ステーションは、これら３つのベーストランシーバステーションからの２つ（一定）の観察時間差から得られた２本の双曲線の交点に位置する（第３の双曲線、又は３つのベーストランシーバステーションから受け取られる信号の基礎を形成することもできる）。移動ステーションの実際の位置エリアは、図２においてグレーエリアの交点のブラックエリアで示されている。４つ以上のベーストランシーバステーション、ひいては、より多くの観察時間差が使用できる場合は、移動ステーションの考えられる位置エリアを更に減少することができ、ひいては、移動ステーションの位置決め精度を高めることができる。
幾何学的な時間差に基づいて特定の移動ステーションを正確に位置決めするためには、観察時間差ＯＴＤ及び実時間差ＲＴＤが分からねばならない。更に、実時間差を決定するためには、異なるベーストランシーバステーションの位置及び測定装置ＳＴＭの位置が分からねばならない。ベーストランシーバステーションの位置は、ｘ−ｙ平面における座標によって決定され、定義される。測定装置の位置も分かるので、測定装置に対する幾何学的時間差ＧＴＤを計算することができる。従って、測定装置により受信される信号と信号との間の観察時間差ＯＴＤが測定装置によって決定されるので、上記方法により実時間差ＲＴＤを決定することができる。この実時間差は、ベーストランシーバステーションに対する測定装置の距離に対応する幾何学的時間差ＧＴＤと、観察時間差ＯＴＤとの間の差を決定することにより計算される。
更に、実時間差は、それが決定される位置とは独立しているので、計算値は、移動ステーションにより観察される実時間差に対応する。従って、移動ステーションにより観察時間差ＯＴＤが決定された後に、その導出された値は、ある中央ユニットに送信される。その後、幾何学的な時間差を計算することができ、そこから、移動ステーションとベーストランシーバステーションとの間の距離差が決定される。このようにして、２つのベーストランシーバステーションから受信した信号から１つの双曲線を導出することができる。というのは、１つの幾何学的時間差を計算できるからである。３つのベーストランシーバステーションから信号が受信される場合には、２つの幾何学的時間差から３本の双曲線を導出することができ、これにより、移動ステーションの考えられる位置を決定することができる。
図３は、ＧＳＭ移動無線ネットワークにおいて移動ステーションの位置を決定するために本発明の方法を適用できる実際の構成を示す図である。
図３に点線で示すように、測定装置ＳＴＭにより計算されたＲＴＤ結果は、ベースステーションコントローラＢＳＣ、移動交換センターＭＳＣ、ショートメッセージサービス−サービスセンターＳＭＣ−ＳＣを経て、位置サービスセンターＬＳＣに送信される。或いは又、測定装置は、決定されたＯＴＤ結果のみを位置サービスセンターへ報告し、位置サービスセンターが、次いで、実時間差を計算することもできる。位置サービスセンターは、図３に示すように、移動無線ネットワークにおいて個別のエンティティとして設けることもできるし、或いは移動無線ネットワーク全体にわたり分散式に、例えば、いずれかのベーストランシーバステーションに設けることもできる。更に、図３に破線で示すように、ＴＤＯＡ情報（又はＯＴＤ結果）は、通常、移動ステーションＭＳから、それにサービスするベーストランシーバステーションＢＴＳ、ベースステーションコントローラＢＳＣ、移動交換センターＭＳＣ、ショートメッセージサービス−サービスセンターＳＭＳ−ＳＣを経て、位置サービスセンターＬＳＣへ中継することができる。
一般に、位置サービスセンターは、次いで、移動ステーションから送信されたＯＴＤ結果と、測定装置ＳＴＭから送信されたＲＴＤ結果との間の差を計算して、移動ステーションＭＳの測定位置を計算する。換言すれば、位置サービスセンターは、観察時間差と実時間差との差である幾何学的時間差に基づいて移動ステーションの位置を計算する。次いで、位置サービスセンターは、移動ステーションの決定された位置座標を多数のアプリケーション（例えば、図３に示すアプリケーション１及び２）へ出力し、これらアプリケーションは、特定の移動ステーションに関して前もって位置サービスセンターへ位置要求を発生したものである。このような位置要求は、位置サービスセンターから移動ステーションへのＯＴＤ要求の送信を開始する。
ベーストランシーバステーションのタイミング差がある測定から次の測定へと変化することが考えられるので、測定装置により計算されるＯＴＤ結果は、位置サービスセンターへ周期的に報告される。
図３に示すように、各ベーストランシーバステーションＢＴＳにそれ自身の測定装置ＳＴＭを設ける必要はない。例えば、多数のベーストランシーバステーションが互いに接近して配置された都市エリアでは、例えば、１６番目のベーストランシーバステーションごとに測定装置を設けるだけで充分である。
更に、本発明の別の好ましい実施形態によれば、移動ステーションＭＳは、自分の位置をそれ自身で決定することができる。このため、測定装置又は位置サービスセンターのいずれかにより計算された実時間差ＲＴＤが移動ステーションへ送信される。移動ステーションは、多数のベーストランシーバステーションから受信した信号のタイミング情報、即ち観察時間差を決定し、そして上記と同様に幾何学的時間差を計算する。この幾何学的時間差に基づいて、移動ステーションは、自分の位置を決定することができる。
より詳細には、計算された実時間差ＲＴＤ又は観察時間差ＯＴＤは、測定装置ＳＴＭから位置サービスセンターＬＳＣへ次の４つのチャンネルのいずれかを用いて送信することができる。
−ショートメッセージサービス（ＳＭＳ）、
−不定の補足的サービスデータ（ＵＳＳＤ）、
−測定レポート、ＢＳＳＭＡＰメッセージ、及び移動交換センターＭＳＣと位置サービスセンターＬＳＣとの間のメッセージ、又は
−全く新しいメッセージ。
ショートメッセージサービスは、ある移動ステーションから別の移動ステーションへ、或いは中央のベースステーションから特定地域の全ての移動ステーションへ短いテキストメッセージを供給するための特殊なＧＳＭサービスである。実際に、ショートメッセージサービスは、無接続プロトコルとして実施され、メッセージは、受信チャンネルの１つを経て送信される（低速関連制御チャンネル（ＳＡＣＣＨ）又はスタンドアローン専用制御チャンネル（ＳＤＣＣＨ））。
更に、不足の補足的サービスデータ（ＵＳＳＤ）は、その内容がいかなる仕様によっても規定されないデータである。これらのデータは、新たなオペレータ特有のサービスを実施するためにオペレータによって使用することができる。
更に、ベースステーションシステム管理アプリケーション部分(ＢＳＳＭＡＰ)のメッセージは、移動交換センターＭＳＣとベースステーションシステムＢＳＳとの間の通信に使用される。これらは、単一コール及びリソース管理に関連した情報処理を必要とする移動交換センターとベースステーションシステムとの間の全ての手順をサポートする。
図３に示す実施形態によれば、ＯＴＤ要求及び結果を送信するために、ベーストランシーバステーションＢＴＳと移動ステーションＭＳとの間にショートメッセージサービスＳＭＳが使用される。更に、この実施形態によれば、ＳＭＳチャンネルは、測定装置ＳＴＭから位置サービスセンターＬＳＣへアップリンク方向にＲＴＤ結果を送信するのにも使用される。
測定情報を送信するのにＳＡＣＣＨチャンネルを使用することは、次のような効果を有する。ＳＡＣＣＨバーストは、ＧＳＭシステムにおいて４８０ｍｓの間隔で送信されるので、測定情報は、充分に頻繁に送信される。更に、測定情報は、進行中コールの間に送信することもできる。更に、付加的な情報の送信に既存のチャンネルが使用されるので、無線リンクの負荷が増加することも、送信される音声信号の質が損なわれることもない。
測定装置ＳＴＭにおける測定プロセスは、例えば、ショートメッセージサービス、又は測定装置へ送信されるべき不定の相補的サービスデータを使用して特殊な測定コマンド信号をＲＴＤ要求又はコマンドとして送信することによりトリガーしそして制御することができる。又、ショートメッセージサービスを使用したコマンド信号の送信も、図３において点線で表わされる。このコマンド信号は、次の情報を含む。
−１つのＳＭＳメッセージの測定セットの数、
−測定周波数（例えば、３０秒ごとに１回）、
−測定時間巾（例えば、次の１０分、５つのＭＳＭメッセージ、又はストップコマンドを受け取るまで）、及び
−測定されているベーストランシーバステーションＢＴＳの識別。
従って、本発明によれば、複数のベーストランシーバステーション間の実時間差を正確に決定できるので、移動無線ネットワークのどこかに位置する移動ステーションの位置を正確に決定することが可能となる。詳細には、移動ステーションの位置の平均エラーを約３００ｍに減少できることが実験で示された。更に、移動ステーションの位置情報は、迅速に且つ短い間隔で得ることができる。というのは、位置情報がリアルタイムで得られるからである。
更に、上記説明によれば、測定装置はベーストランシーバステーションに配置される。これは次のような効果を有する。信号を受信するためのアンテナがベーストランシーバステーションのアンテナに位置するので、多くの場合、他のベーストランシーバステーションに対して視線接続をもつことになる。その結果、隣接するベーストランシーバステーションから受信される信号間の減衰が少なくなる。更に、移動ステーションにおいてある程度のソフトウェア変更しか必要とされないので、付加的な努力が僅かに必要とされるだけである。従って、本発明は、余計なコストをほとんどかけずに実現することができる。加えて、測定装置は、当然、他の目的に使用することもできる。しかしながら、測定装置をベーストランシーバステーションに配置する必要はなく、測定装置は、もちろん、他の適当な場所に配置されてもよい。
以上の説明では、移動無線ネットワークにおけるベーストランシーバステーションに本発明の方法を適用する例について述べた。しかしながら、本発明の方法は、もちろん、いかなる形式の無線ネットワーク内で多数の無線送信器間のタイミング差を決定するのにも適用できる。
更に、上記説明は、パンヨーロピアンデジタルセルラー無線ネットワークＧＳＭを一例として参照したが、本発明は、ある程度の変更で他のデジタルシステムにも適用できる。例えば、本発明は、ＤＣＳ１８００／１９００システム或いは日本で使用されるＪＤＣシステムにも適用できる。
上記説明は、本発明の好ましい実施形態について述べたものに過ぎないことを理解されたい。それ故、本発明は、上記の好ましい実施形態に限定されるものではなく、請求の範囲に規定した本発明の範囲内で当業者によりなされるいかなる変更や修正も包含するものとする。
【図１】
0003752515.tif 000002
【図２】
0003752515.tif 000003
【図３】
0003752515.tif 000004